(57)【特許請求の範囲】
【請求項１】
タッチ操作部を備える電子機器であって、
前記タッチ操作部上におけるタッチ操作の種類を判別する第１の判別手段と、
前記タッチ操作部上のタッチ操作により実行可能な所定機能を制限する第１の状態と、前記所定機能の制限を解除する第２の状態と、を切り替える状態切替手段と、
当該電子機器の状態が前記第1の状態、若しくは前記第２の状態であるかを判別する第２の判別手段と、
前記第２の状態において前記所定機能の実行を指示するタッチ操作により実行可能な所定機能を、複数の機能の中から選択する選択手段と、
前記状態切替手段により前記第２の状態に切り替えられている状態において、前記選択手段により選択されている機能を実行する実行手段と、
前記第２の判別手段により判別された状態が前記第１の状態である場合に、前記第１の判別手段により判別されたタッチ操作の種類が、前記所定機能の実行を指示するタッチ操作とは異なる当該電子機器の状態を切り替える操作の種類ならば、当該電子機器の状態を前記第１の状態から前記第２の状態に切り替える、一方、前記第２の判別手段により判別された状態が前記第２の状態である場合に、前記第１の判別手段により判別されたタッチ操作の種類が、前記所定機能の実行を指示するタッチ操作とは異なる当該電子機器の状態を切り替える操作の種類ならば、当該電子機器の状態を前記第２の状態から前記第１の状態に切り替える、ように前記状態切替手段を制御する制御手段と、
を備え、
前記選択手段により選択可能な複数の機能のうち、その一部の機能は前記タッチ操作部のみで操作が可能であり、その他の機能は他の操作部でも操作可能であることを特徴とする電子機器。
【請求項２】
前記所定機能の実行を指示するタッチ操作とは異なるタッチ操作を第１のタッチ操作として検出する第１の検出手段と、
前記所定機能の実行を指示するタッチ操作を第２のタッチ操作として検出する第２の検出手段と、
を更に備え、
前記判別手段は、前記第１の状態で前記第１の検出手段による検出を行い、前記第２の状態で前記第１の検出手段による検出及び第２の検出手段による検出を行うことによってタッチ操作の種類を判別する、
ことを特徴とする請求項１に記載の電子機器。
【請求項３】
前記第１のタッチ操作は、種類の異なる複数の第１のタッチ操作を含み、
前記判別手段は、前記第１のタッチ操作により前記第１の状態から前記第２の状態に切り替えられた時の当該第１のタッチ操作の種類を更に判別し、
前記第１のタッチ操作の種類毎に前記第２の状態で第２のタッチ操作に応じて実行される機能を設定する設定手段を、更に備え、
前記実行手段は、前記状態切替手段により前記第２の状態に切り替えられている状態において、前記第２の検出手段により第２のタッチ操作が検出された場合、前記判別手段により判別されている前記第１のタッチ操作の種類に応じて、前記設定手段により設定されている前記第２のタッチ操作に対応する機能を実行する、
ことを特徴とする請求項２に記載の電子機器。
【請求項４】
前記判別手段は、前記第１のタッチ操作の種類を前記タッチ操作部上におけるタッチ操作の位置より判別する、
ことを特徴とする請求項２又は３に記載の電子機器。
【請求項５】
前記制御手段は、前記状態切替手段により前記第２の状態に切り替えられている状態において、
前記第１のタッチ操作が検出された場合、
前記判別手段により判別された当該第１の操作の種類と、前記判別手段により判別されている前記第１の状態から当該第２の状態への切り替え時の第１のタッチ操作の種類と、を比較し、同じ種類の第１のタッチ操作であれば、前記第１の状態に切り替えるように前記状態切替手段を制御する一方、異なる種類の第１のタッチ操作であれば、当該第２の状態を維持したまま前記第２の操作が行われた際に実行される機能を、前記設定されている当該第１のタッチ操作の種類に対応する機能に切り替える制御を行う、
ことを特徴とする請求項３又は４に記載の電子機器。
【請求項６】
表示部に前記第１の状態と前記第２の状態を識別可能とする識別子を表示する制御を行う表示制御手段を、更に備える、
ことを特徴とする請求項１乃至５のいずれか一項に記載の電子機器。
【請求項７】
前記タッチ操作部は、当該タッチ操作部上でのタッチ操作を検出するサンプリング周期が前記第１の状態と第２の状態とではそれぞれ異なるように制御する、
ことを特徴とする請求項１乃至６のいずれか一項に記載の電子機器。
【請求項８】
当該電子機器は、携帯型電子機器であり、
前記タッチ操作部は、前記表示部を見るユーザが当該携帯型電子機器の筐体を握ることで人体に接触可能となるように当該筐体の側面に配設されている、
ことを特徴とする請求項１乃至７のいずれか一項に記載の電子機器。
【請求項９】
前記携帯型電子機器の筐体は、前記表示部を備える本体ブロックと、前記本体ブロックの一端に回転可能に取り付けられたフレームブロックからなり、
前記タッチ操作部は、前記フレームブロックの側面に配設されている、
ことを特徴とする請求項８に記載の電子機器。
【請求項１０】
タッチ操作部を備える電子機器におけるタッチ操作制御方法であって、
前記タッチ操作部上におけるタッチ操作の種類を判別する第１の判別処理と、
前記タッチ操作部上のタッチ操作により実行可能な所定機能を制限する第１の状態と、前記所定機能の制限を解除する第２の状態と、を切り替える処理と、
当該電子機器の状態が前記第1の状態、若しくは前記第２の状態であるかを判別する第２の判別処理と、
前記第２の状態において前記所定機能の実行を指示するタッチ操作により実行可能な所定機能を、複数の機能の中から選択する選択処理と、
前記第２の状態に切り替えられている状態において、前記選択処理で選択されている機能を実行する実行処理と、
前記第２の判別処理により判別された状態が前記第１の状態である場合に、前記第１の判別処理により判別されたタッチ操作の種類が、前記所定機能の実行を指示するタッチ操作とは異なる当該電子機器の状態を切り替える操作の種類ならば、当該電子機器の状態を前記第１の状態から前記第２の状態に切り替える、一方、前記第２の判別処理により判別された状態が前記第２の状態である場合に、前記第１の判別処理により判別されたタッチ操作の種類が、前記所定機能の実行を指示するタッチ操作とは異なる当該電子機器の状態を切り替える操作の種類ならば、当該電子機器の状態を前記第２の状態から前記第１の状態に切り替える、ように制御する処理と、
を含み、
前記選択処理で選択可能な複数の機能のうち、その一部の機能は前記タッチ操作部のみで操作が可能であり、その他の機能は他の操作部でも操作可能である、
ことを特徴とするタッチ操作制御方法。
【請求項１１】
タッチ操作部を備える電子機器のコンピュータに対して、
前記タッチ操作部上におけるタッチ操作の種類を判別する第１の判別機能と、
前記タッチ操作部上のタッチ操作により実行可能な所定機能を制限する第１の状態と、前記所定機能の制限を解除する第２の状態と、を切り替える機能と、
当該電子機器の状態が前記第1の状態、若しくは前記第２の状態であるかを判別する第２の判別機能と、
前記第２の状態において前記所定機能の実行を指示するタッチ操作により実行可能な所定機能を、複数の機能の中から選択する選択機能と、
前記第２の状態に切り替えられている状態において、前記選択機能で選択されている機能を実行する実行機能と、
前記第２の判別機能により判別された状態が前記第１の状態である場合に、前記第１の判別機能により判別されたタッチ操作の種類が、前記所定機能の実行を指示するタッチ操作とは異なる当該電子機器の状態を切り替える操作の種類ならば、当該電子機器の状態を前記第１の状態から前記第２の状態に切り替える、一方、前記第２の判別機能により判別された状態が前記第２の状態である場合に、前記第１の判別機能により判別されたタッチ操作の種類が、前記所定機能の実行を指示するタッチ操作とは異なる当該電子機器の状態を切り替える操作の種類ならば、当該電子機器の状態を前記第２の状態から前記第１の状態に切り替える、ように制御する機能と、
を実現させ、
前記選択機能で選択可能な複数の機能のうち、その一部の機能は前記タッチ操作部のみで操作が可能であり、その他の機能は他の操作部でも操作可能であることを特徴とするプログラム。
【発明の詳細な説明】
【技術分野】
【０００１】
本発明は、表示部と異なる位置にタッチ操作部を備える電子機器、タッチ操作制御方法及びプログラムに関する。
【背景技術】
【０００２】
従来、スライド操作などのタッチ操作を可能とするタッチ操作部を備える電子機器としては、例えば、特許文献１に開示されているように、筐体の側面にスライドセンサ（タッチ操作部）を配設した技術が知られている。この技術は、表示画面（タッチ画面）を見るユーザが情報端末の筐体を右手で握りながら親指などでタッチ操作を行う場合に、表示画面の片隅などのように指が届きにくい箇所を操作する代わりに親指を筐体の側面に沿って上下方向に滑らせるだけでスライドセンサの操作が可能となるため、操作性に優れたユーザインタフェイスを提供することができるようになる。
【先行技術文献】
【特許文献】
【０００３】
【特許文献１】特開２０１３−２３８９５５号公報
【発明の概要】
【発明が解決しようとする課題】
【０００４】
しかしながら、上述した特許文献１の技術にあっては、操作性に優れたものとなる反面、端末の筐体の一側面部にスライドセンサが配設されている構成であるため、ユーザがタッチ操作を行う意図がない場合でも筐体を握るだけでスライドセンサに手が触れてしまい、ユーザの意図しない誤動作を起こしてしまう場合があるという問題があった。
【０００５】
本発明の課題は、タッチ操作部への意図しないタッチ操作による誤動作を適切に防止しつつ快適な操作を実現できるようにすることである。
【課題を解決するための手段】
【０００６】
上述した課題を解決するために本発明の電子機器は、
タッチ操作部を備える電子機器であって、
前記タッチ操作部上におけるタッチ操作の種類を判別する第１の判別手段と、
前記タッチ操作部上のタッチ操作により実行可能な所定機能を制限する第１の状態と、前記所定機能の制限を解除する第２の状態と、を切り替える状態切替手段と、
当該電子機器の状態が前記第1の状態、若しくは前記第２の状態であるかを判別する第２の判別手段と、
前記第２の状態において前記所定機能の実行を指示するタッチ操作により実行可能な所定機能を、複数の機能の中から選択する選択手段と、
前記状態切替手段により前記第２の状態に切り替えられている状態において、前記選択手段により選択されている機能を実行する実行手段と、
前記第２の判別手段により判別された状態が前記第１の状態である場合に、前記第１の判別手段により判別されたタッチ操作の種類が、前記所定機能の実行を指示するタッチ操作とは異なる当該電子機器の状態を切り替える操作の種類ならば、当該電子機器の状態を前記第１の状態から前記第２の状態に切り替える、一方、前記第２の判別手段により判別された状態が前記第２の状態である場合に、前記第１の判別手段により判別されたタッチ操作の種類が、前記所定機能の実行を指示するタッチ操作とは異なる当該電子機器の状態を切り替える操作の種類ならば、当該電子機器の状態を前記第２の状態から前記第１の状態に切り替える、ように前記状態切替手段を制御する制御手段と、
を備え、
前記選択手段により選択可能な複数の機能のうち、その一部の機能は前記タッチ操作部のみで操作が可能であり、その他の機能は他の操作部でも操作可能であることを特徴とする。
【発明の効果】
【０００７】
本発明によれば、タッチ操作部への意図しないタッチ操作による誤動作を適切に防止しつつ快適な操作を実現することができる。
【図面の簡単な説明】
【０００８】
【図１】電子機器として適用した撮像装置（デジタルカメラ）の基本的な構成要素を示したブロック図。
【図２】（１）は、タッチ表示部６とセルフィーパッド（タッチ操作部）４ｂとの位置関係を示す撮像装置の外観図で、表示ブロック１１ａ、レンズブロック１１ｃに対してフレームブロック１１ｂを閉じた状態を正面から示した図、（２）は、同状態を一側面から示した図。
【図３】タッチ表示部６とセルフィーパッド４ｂとの位置関係を示す撮像装置の外観図で、表示ブロック１１ａ、レンズブロック１１ｃに対してフレームブロック１１ｂを開いた状態を正面から示した図。
【図４】セルフィーパッド機能テーブル３Ｃを説明するための図。
【図５】撮像装置の動作状態が遷移する様子を説明するための動作模式図。
【図６】（１）〜（５）は、機能に応じた処理時にタッチ表示部６に表示される画面を例示した図。
【図７】第２実施形態のセルフィーパッド機能テーブル３Ｃを説明するための図。
【図８】第２実施形態において、撮像装置の動作状態が遷移する様子を説明するための動作模式図。
【図９】第３実施形態のセルフィーパッド機能テーブル３Ｃを説明するための図。
【図１０】第３実施形態において、撮像装置の動作状態が遷移する様子を説明するための動作模式図。
【発明を実施するための形態】
【０００９】
以下、本発明の実施の形態について、図面を参照して詳細に説明する。
（第１実施形態）
先ず、図１〜図６を参照して本発明の第１実施形態を説明する。
図１は、電子機器として適用した撮像装置（デジタルカメラ）の基本的な構成要素を示したブロック図である。
この撮像装置（デジタルカメラ）は、被写体を高精細に撮影可能な撮像機能、現在日時やタイマ時間を計時する計時機能、記録保存されている撮影済み画像（保存画像）を任意に読み出して再生する画像再生機能などを備えている。制御部１は、電源部（二次電池）２からの電力供給によって動作し、記憶部３内に格納されている各種のプログラムに応じてこの撮像装置の全体動作を制御するもので、この制御部１には図示しないＣＰＵ（中央演算処理装置）やメモリなどが設けられている。
【００１０】
記憶部３は、例えば、ＲＯＭ、フラッシュメモリなどを有する構成で、本実施形態を実現するためのプログラムや各種のアプリケーションなどが格納されているプログラムメモリ３Ａと、フラグなどを一時記憶するワークメモリ３Ｂ、後述するセルフィーパッド機能テーブル３Ｃなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１１】
操作部４は、ハードキー４ａとセルフィーパッド４ｂを有する構成で、ハードキー４ａは、図示省略したが、電源オン／オフを行う電源キー、撮影が可能なモード（ＲＥＣモード）と撮影済み画像（保存画像）を再生するモード（ＰＬＡＹモード）などを切り替えるモード変更キー、撮影を指示するレリーズキー、Ｔ（望遠）キー（ズーム調整キー）、Ｗ（広角）キー（ズーム調整キー）、上下左右の矢印キーなど、各種のキーを備えたもので、制御部１は、このハードキー４ａの操作に応じて、例えば、モード変更処理、撮影処理、ズーム調整処理などを行う。セルフィーパッド４ｂは、後で詳述するが、撮像装置を構成する筐体の側面に配設されたタッチ操作部であり、ユーザが筐体を手で握りながら指でタップやスライドなどのタッチ操作が可能なユーザインタフェイスである。
【００１２】
撮像部５は、図示しないが、光学レンズからの被写体画像が撮像素子（ＣＣＤやＣＭＯＳなど）に結像されることにより被写体を高精細に撮影することが可能なもので、撮影レンズ、撮像素子、ストロボ、各種のセンサ、アナログ処理部、デジタル処理部を有している。この撮像部５によって撮影された画像は、制御部１によりその画像を圧縮してファイル化する画像圧縮処理が施された後、記憶部３の記録メディアに記録保存される。タッチ表示部６は、高精細液晶などの表示部上に透明のタッチ操作部が積層されたもので、各種のソフトウェアキー（アイコン、タッチキー）を割り当て配置してその機能名を表示したり、指などによるタッチ操作を感知してそのタッチ操作に応じた操作信号を入力したりする。タッチ表示部６の表示画面は、撮像された画像（ライブビュー画像）をリアルタイムに表示するモニタ画面（ライブビュー画面）となったり、撮影済み画像を再生する再生画面となったりする。なお、本実施形態においてはタッチ表示部６を使用したが、これに限らず、タッチ操作部が積層されない液晶のみからなる表示部などであってもよい。
【００１３】
図２及び図３は、タッチ表示部６とセルフィーパッド（タッチ操作部）４ｂとの位置関係を示すための撮像装置の外観図である。
図２（１）は、撮像装置の正面図、（２）は、その一側面図ある。撮像装置を構成する筐体１１は、薄型矩形の表示ブロック１１ａと、この表示ブロック１１ａの周囲を囲む矩形枠状のフレームブロック１１ｂと、表示ブロック１１ａとフレームブロック１１ｂとを連結するレンズブロック１１ｃを有する構成で、表示ブロック１１ａの一端中央部（図示の例では上端中央部）とレンズブロック１１ｃの一端中央部（図示の例では下端中央部）とは、横回転用のヒンジ部（図示省略）を介して横方向に回転可能に取り付けられている。
【００１４】
フレームブロック１１ｂの両端部内側（図示の例では左右側上部内側）とレンズブロック１１ｃの両端部（図示の例では左右側部）とは、縦回転用のヒンジ部（図示省略）を介して縦方向に回転可能に取り付けられている。表示ブロック１１ａにはその中央部分にタッチ表示部６が配設されている。フレームブロック１１ｂの一側部（図示の例では左側部）には、セルフィーパッド４ｂが配設され、レンズブロック１１ｃの中央部には撮像部５を構成する撮影レンズ５ａが配設されている。このように表示ブロック１１ａ側のタッチ表示部６とフレームブロック１１ｂ側のセルフィーパッド４ｂとはそれぞれ異なる位置に配設されている。なお、表示ブロック１１ａとレンズブロック１１ｃを一体化して本体ブロックとし、フレームブロック１１ｂの両端部内側（図示の例では左右側上部内側）と本体ブロックの両端部（図示の例では左右側部）とが、縦回転用のヒンジ部（図示省略）を介して縦方向に回転可能に取り付けられるようにしてもよい。
【００１５】
セルフィーパッド４ｂは、複数枚（本実施形態では１５枚）の小片状のタッチパネルＴを縦一列に配列した構成のタッチ操作部であり、１５点スイッチとして使用可能であると共に、曲面にも使用可能な構成となっている。筐体１１をユーザが手で握りながら指（例えば、親指や人差し指）でセルフィーパッド４ｂ上をタッチ操作すると、そのタッチ操作に応じた操作検出信号は、制御部１に与えられる。制御部１は、セルフィーパッド４ｂからの操作検出信号を基に、セルフィーパッド４ｂ上でどのようなタッチ操作が行われたか、つまり、指でたたくタップ操作が行われたのか、指を移動するスライド操作が行われたのかを判別し、タップ操作であれば、そのタップの連続操作回数を検出し、スライド操作であれば、そのスライド方向（上方向スライド、下方向スライド）を検出することによってタッチ操作の種類を判別する。
【００１６】
更に、制御部１は、セルフィーパッド４ｂ上のタッチ操作が所定のタッチ操作であると判別した場合に、そのタッチ操作に応じて第１の状態と第２の状態との切り替えを行う。すなわち、第１の状態と第２の状態との切り替えを指示するセルフィーパッド４ｂ上のタッチ操作を“第１のタッチ操作”とし、所定機能（例えば、レリーズ、ズーム調整、画像送りなど）の実行を指示するセルフィーパッド４ｂ上のタッチ操作を“第２のタッチ操作”とすると、所定機能の実行を指示する第２のタッチ操作とは異なる第１タッチ操作が行われると、制御部１は、第１の状態と第２の状態との切り替えを行う。第１実施形態においては、第１のタッチ操作を２回連続のタップ操作（タプルタップ）、第２のタッチ操作を１回のタップ操作（シングルタップ操作）、又は接触移動のタッチ操作（スライド操作）とした場合を示している。
【００１７】
ここで、第１の状態は、所定機能（例えば、レリーズ、ズーム調整、画像送りなど）を制限するセルフィーパッド制限状態であり、セルフィーパッド４ｂ上で第２のタッチ操作が行われても、その操作を無効として所定機能の実行を制限する状態となる。この第１の状態（セルフィーパッド制限状態）では、セルフィーパッド４ｂ上の第１のタッチ操作（ダブルタップ操作）のみが有効となる。第２の状態は、この所定機能の制限を解除するセルフィーパッド制限解除状態であり、セルフィーパッド４ｂ上の第２のタッチ操作（シングルタップ操作又はスライド操作）に応じて所定機能の実行が可能となる。この第２の状態（セルフィーパッド制限解除状態）では、セルフィーパッド４ｂ上での第２のタッチ操作の他に、第１のタッチ操作も有効となる。すなわち、第１の状態ではダブルタップ操作のみを検出し、第２の状態ではシングルタップ操作又はスライド操作の他、ダブルタップ操作を検出するようにしている。
【００１８】
このように第１実施形態においては、セルフィーパッド４ｂ上でダブルタップ操作が行われる毎に、第１の状態と第２の状態とを交互に切り替えるようにしているが、その切り替え操作としてダブルタップ操作を採用したのは、以下の理由による。すなわち、セルフィーパッド４ｂ上でのシングルタップ操作又はスライド操作は、筐体１１を握るだけでセルフィーパッド４ｂに手が触れてしまい、ユーザの意図しない誤動作を起こす可能性が極めて高いものとなるが、このシングルタップ操作又はスライド操作に比べて、ダブルタップ操作は、意図せずに間違って操作される可能性が低く、誤操作を低減する可能性のある操作であることがその理由である。
【００１９】
なお、状態の切り替え操作としては、誤操作を低減する操作であれば、ダブルタップ操作に限らない。なお、図中、モニタ画面（ライブビュー画面）内の「ＰＡＤ」は、第２の状態（セルフィーパッド制限解除状態）に切り替えられていることを示す識別表示用のマークである。また、図中、セルフィーパッド４ｂに沿って便宜上付加した「１」〜「１５」の数字は、縦一列に配列された各タッチパネルＴを識別するための接点番号を示し、セルフィーパッド４ｂは、１５枚のタッチパネルＴを一列に配列した構成となっている。
【００２０】
図２は、表示ブロック１１ａがフレームブロック１１ｂ内に収まっている状態（閉じられている状態）を示し、図３は、この閉じられた状態から表示ブロック１１ａ、レンズブロック１１ｃに対してフレームブロック１１ｂを縦方向に回転させて開いた状態で、タッチ表示部６と撮影レンズ５ａとが同じ向きとなる自分撮り用のスタイルに変化させた状態を示した図である。この状態から表示ブロック１１ａを横方向に１８０°回転させて、タッチ表示部６と撮影レンズ５ａとが反対側の向きとなる通常の撮影スタイルに変化させることもできる。図示のタッチ表示部６の表示内容は、撮像部５によって撮像された画像（ライブビュー画像）がリアルタイムに表示されている状態を示し、このライブビュー画面（モニタ画面）には、ライブビュー画像に対して施される画像処理の種類を指示する各種のアイコンＡ〜Ｄが配列表示されている。
【００２１】
すなわち、モニタ画面には各種のアイコンとして、例えば、露出をオーバーさせて明るく爽やかに仕上げる画像処理を指示するアイコン（ハイキー）Ａ、全体をぼかして、柔らかく幻想的に仕上げる画像処理を指示するアイコン（フォギー）Ｂ、周囲を暗くし、色合いを変えて、郷愁を感じるように仕上げる画像処理を指示するアイコン（ノスタルジー）Ｃ、彩度を強調して色彩豊かに仕上げる画像処理を指示するアイコン（ビビット）Ｄが表示されている。
【００２２】
図４は、セルフィーパッド機能テーブル３Ｃを説明するための図である。
セルフィーパッド機能テーブル３Ｃは、第２の状態（セルフィーパッド制限解除状態）において、セルフィーパッド４ｂ上のタッチ操作（第２のタッチ操作）に応じて実行される処理を特定するためのテーブルで、「モード」、「機能」、「検出するタッチ操作」、「実行する処理」、「他の対応操作子」、「実行機能」の各項目を有している。「モード」は、撮像装置の動作モードを記憶する項目で、図示の例は“ＲＥＣモード（撮影モード）”、“ＰＬＡＹモード（再生モード）”を記憶した場合である。「機能」は、動作モード（ＲＥＣモード、ＰＬＡＹモード）別にセルフィーパッド４ｂ上のタッチ操作（第２のタッチ操作）で実行可能となる各種の機能を記憶する項目で、図示の例は“ＲＥＣモード”に対応して“レリーズ”、“ズーム調整”、“画像処理”の機能を記憶し、“ＰＬＡＹモード”に対応して“画像送り”、“拡大表示”の機能を記憶した場合を示している。
【００２３】
「検出するタッチ操作」は、モード別及び機能別にどのようなタッチ操作（第２のタッチ操作）が有効であるかを示す項目で、「機能」と「検出するタッチ操作」とは１対１の関係となる場合に限らず、複数の処理を含む機能の場合には１対Ｎ（処理数）の関係となる。図示の例は、「モード」が“ＲＥＣモード”の場合に、「機能」の“レリーズ”に対応して“スライド（上方向／下方向）”を記憶し、“ズーム調整”に対応して“上方向スライド”及び“下方向スライド”を記憶し、“画像処理”に対応して“上方向スライド”及び“下方向スライド”を記憶した場合を示している。「モード」が“ＰＬＡＹモード”の場合に、「機能」の“画像送り”に対応して“上方向スライド”及び“下方向スライド”を記憶し、“拡大表示”に対応して“シングルタップ”を記憶した場合を示している。
【００２４】
「実行する処理」は、モード別及び機能別にセルフィーパッド４ｂ上のタッチ操作（第２のタッチ操作）で実行可能となる処理を示す項目で、「機能」と「実行する処理」とは１対１の関係となる場合に限らず、複数の処理を含む機能の場合には１対Ｎ（処理数）の関係となる。図示の例は、「モード」が“ＲＥＣモード”において「機能」が“レリーズ”、「検出するタッチ操作」が“スライド（上方向／下方向）”の場合には“セルフタイマ撮影指示”を記憶し、「機能」が“ズーム調整”、「検出するタッチ操作」が“上方向スライド”の場合には“望遠方向へのズーム調整”を、“下方向スライド”の場合には“広角方向へのズーム調整”を記憶し、「機能」が“画像処理”、「検出するタッチ操作」が“上方向スライド”の場合には“１つ前の画像処理を選択”を、“下方向スライド”の場合には“次の画像処理を選択”を記憶した場合を示している。
【００２５】
同様に、「モード」が“ＰＬＡＹモード”において「機能」が“画像送り”、「検出するタッチ操作」が“上方向スライド”の場合には“１つ前の画像に表示切り替え”を、“下方向スライド”の場合には“次の画像に表示切り替え”を記憶し、「機能」が“拡大表示”、「検出するタッチ操作」が“シングルタップ”の場合には“表示中の画像を拡大表示／通常表示の切り替え”を記憶した場合を示している。「他の対応操作子」は、セルフィーパッド４ｂ上のタッチ操作で実行可能となる処理を、それ以外の他の操作（操作部４上のハードキー４ａ操作又はタッチ表示部６上のタッチ操作）でも実行可能となる場合に、その他の操作（セルフィーパッド４ｂ上のタッチ操作以外の操作）を示した項目である。
【００２６】
図示の例は、「他の対応操作子」が操作部４上のハードキー４ａの場合を示したもので、ＲＥＣモードにおいて「実行する処理」が“セルフタイマ撮影指示”の場合には“セルフタイマモードにおけるレリーズキー”を記憶し、“望遠方向へのズーム調整”の場合には“Ｔキー（ズーム調整）”を記憶し、“広角方向へのズーム調整”の場合には“Ｗキー（ズーム調整）”を記憶し、“１つ前の画像処理を選択”及び“次の画像処理を選択”に対応して“なし”を記憶した場合である。なお、「他の対応操作子」が“なし”とは、セルフィーパッド４ｂ上のタッチ操作以外の操作は存在しないこと、つまり、「実行する処理」は、セルフィーパッド４ｂ上のタッチ操作のみが有効となることを示している。
【００２７】
同様に“ＰＬＡＹモード”において、「実行する処理」が“１つ前の画像に表示切り替え”の場合には“左矢印キー”を記憶し、“次の画像に表示切り替え”の場合には“右矢印キー”を記憶し、“表示中の画像を拡大表示／通常表示の切り替え”の場合には“Ｔキー（ズーム調整）”を記憶した場合である。なお、図示の例では、「他の対応操作子」としてハードキー４ａ操作を例示したが、タッチ表示部６上のタッチ操作を含むようにしてもよい。例えば、「機能」が“画像処理”の場合、対応する「他の対応操作子」には、“なし”に代えて、タッチ表示部６上のタッチ操作として、上述したアイコンＡ〜Ｄを記憶するようにしてもよい。
【００２８】
「実行機能」は、第１の状態（セルフィーパッド制限状態）から第２の状態（セルフィーパッド制限解除状態）に切り替わった際に、モード別にどの「機能」が有効であるか（図中、丸印）を示す項目で、図示の例では、“ＰＬＡＹモード”では「機能」の“画像処理”が「実行機能」として選択されているので、“画像処理”が有効な「機能」であることを示している。また、“ＰＬＡＹモード”では「機能」の“拡大表示”が「実行機能」として選択されているので、“拡大表示”が有効な機能であることを示している。どの機能を「実行機能」として選択するかは、ユーザ操作によりモード別に任意に設定可能となっている。
【００２９】
次に、第１実施形態における撮像装置の動作概念を図５に示す動作模式図を参照して説明する。ここで、この動作模式図に記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体の他に、伝送媒体を介して外部供給されたプログラム／データを利用して本実施形態特有の動作を実行することもできる。
【００３０】
図５は、撮像装置の動作状態が遷移する様子を説明するための動作模式図である。以下、図６（１）〜（５）の表示例を参照して撮像装置の動作を具体的に説明するものとする。
先ず、制御部１は、ハードキー４ａの電源キーによる電源オン操作に応じて（ステップＡ１）、電源オン後の初期状態として、ＲＥＣモードでライブビュー画像をモニタ画面（タッチ表示部６）に表示させる（ステップＡ２）。図示省略するが、この状態においてハードキー４ａのモードキーにより、ＲＥＣモードとＰＬＡＹモードの切り替えが可能となり、ＰＬＡＹモードでは撮影済み画像（保存画像）を再生画面（タッチ表示部６）に表示させる。この電源オン時には第１の状態（セルフィーパッド制限状態）となり、セルフィーパッド４ｂ上の所定のタッチ操作のみが有効な状態となる。すなわち、セルフィーパッド４ｂ上のタッチ操作が、所定機能の実行を指示する第２のタッチ操作（シングルタップ操作、スライド操作）とは異なる第１のタッチ操作（ダブルタップ操作）であれば、その第１のタッチ操作を有効とするが、第２のタッチ操作であれば、そのタッチ操作を無効とする状態となる。
【００３１】
いま、「セルフィーパッド制限状態」において、セルフィーパッド４ｂ上のタッチ操作が第１のタッチ操作、つまり、ダブルタップ（Ｗタップ）操作であれば（ステップＡ３）、第２の状態（セルフィーパッド制限解除状態）に遷移し（ステップＡ４）、セルフィーパッド機能テーブル３Ｃで「実行機能」に選択されている「機能」が有効となり、第１のタッチ操作の他に、第２のタッチ操作（シングルタップ操作、スライド操作）のうちセルフィーパッド機能テーブル３Ｃで「実行機能」に選択されている「機能」に対応する「検出するタッチ操作」も有効な状態となる。ここで、ＲＥＣモードでライブビュー画像がモニタ画面に表示され、ＰＬＡＹモードで撮影済み画像が再生画面に表示されている状態において（ステップＡ５）、第２のタッチ操作（シングルタップ操作又はスライド操作）が行われると（ステップＡ６）、セルフィーパッド機能テーブル３Ｃで「実行機能」に選択されている「機能」に対応する「実行する処理」を参照し、第２のタッチ操作に対応する処理を選択してその処理の実行に移る（ステップＡ７）。
【００３２】
例えば、“ＲＥＣモード”で「実行機能」として“レリーズ”が選択されている場合には、「セルフィーパッド制限解除状態」を識別する「ＰＡＤ」マークＭＫと共に、ライブビュー画像ＬＶをタッチ表示部６のモニタ画面に表示させる（図６（１）参照）。いま、セルフィーパッド４ｂ上で上方向／下方向スライド操作、又はハードキー４ａのレリーズキーが操作されると、“セルフタイマ撮影指示”の処理を実行し、セルフタイマのカウントダウン動作を開始してカウントダウン中画面（図示省略）に切り替える。
【００３３】
また、“ＲＥＣモード”で「実行機能」として“ズーム調整”が選択されている場合には、拡大／縮小をスケール表示するズームバーＺＢをライブビュー画像ＬＶと共にモニタ画面に表示させる（図６（２）参照）。なお、ズームバーＺＢの表示で第２の状態に遷移したことを識別可能となるが、上述の「ＰＡＤ」マークＭＫをズームバーＺＢと共に表示するようにしてもよい。この状態において、セルフィーパッド４ｂ上で上方向スライド操作／下方向スライド操作が行われ、又はハードキー４ａのＴキー（ズーム調整）／Ｗキー（ズーム調整）が操作されると、“望遠方向へのズーム調整”／“広角方向へのズーム調整”の処理を実行し、ライブビュー画像の処理結果をモニタ画面に表示させる。
【００３４】
また、“ＲＥＣモード”で「実行機能」として“画像処理”が選択されている場合には、上述した各種のアイコンとしてアイコン（ハイキー）Ａ、アイコン（フォギー）Ｂ、アイコン（ノスタルジー）Ｃ、アイコン（ビビット）Ｄ、及び「ＰＡＤ」マークＭＫをライブビュー画像ＬＶと共にモニタ画面に表示させる（図６（３）参照）。この場合、セルフィーパッド４ｂ上で上方向スライド操作が行われると、“１つ前の画像処理を選択”の処理を実行し、例えば、アイコンＣから１つ前のアイコンＢの画像処理を選択し、また、セルフィーパッド４ｂ上で下方向スライド操作が行われると、“次の画像処理を選択”の処理を実行し、例えば、アイコンＡから次のアイコンＢの画像処理を選択してその処理の実行に移る。
【００３５】
また、ＰＬＡＹモードで「実行機能」として“画像送り”が選択されている場合には、「ＰＡＤ」マークＭＫと共に撮影済み画像ＳＶをタッチ表示部６の再生画面に表示させる（図６（４）参照）。この場合、セルフィーパッド４ｂ上で上方向スライド操作が行われると、“１つ前の画像処理を選択”の処理を実行し、また、下方向スライド操作が行われると、“次の画像処理を選択”の処理を実行する。また、「実行機能」として“拡大表示”が選択されている場合には、撮影済み画像ＳＶを拡大した画像と共に、撮影済み画像のどの部分を拡大したかを案内する拡大箇所ウインドウＷＤと共に表示させる（図６（５）参照）。なお、拡大箇所ウインドウＷＤの表示で「セルフィーパッド制限解除状態」に遷移したことが識別可能となるが、上述の「ＰＡＤ」マークＭＫを拡大箇所ウインドウＷＤと共に表示するようにしてもよい。いま、セルフィーパッド４ｂ上でシングルタップ操作、又はハードキー４ａのＴキー（ズーム調整）が操作されると、“表示中の画像を拡大表示／通常表示の切り替え”の処理を実行する。
【００３６】
第２の状態（セルフィーパッド制限解除状態）において、セルフィーパッド４ｂ上のタッチ操作が第１のタッチ操作（Ｗタップ操作）であれば（ステップＡ８）、「セルフィーパッド制限状態」に遷移して上述したステップＡ２の元の画面に復帰する。また、第２の状態において、ハードキー４ａによる電源オフ操作又はＡＰＯ（オートパワーオフ）機能に応じて（ステップＡ９）、第１の状態に遷移して電源オフ状態となる（ステップＡ１０）。なお、ＡＰＯ（オートパワーオフ）は、第１の状態から第２の状態に遷移した後において、無操作状態が所定時間継続したことを検出した際に、自動的に電源オフ状態とする機能で、このＡＰＯに連動して第２の状態から第１の状態へ遷移する。
【００３７】
ここで、セルフィーパッド４ｂ上のタッチ操作のうち、通常のタッチ操作（例えば、シングルタップ操作又はスライド操作）である第２のタッチ操作よりも誤操作の可能性の低い第１のタッチ操作（ダブルタップ操作）により指示操作を行う方法を第１の操作方法と称し、第２のタッチ操作（シングルタップ操作又はスライド操作）により指示操作を行う方法を第２の操作方法と称し、第１のタッチ操作を行うことにより第２のタッチ操作を有効にした後、その第２のタッチ操作により指示操作を行う方法を第３の操作方法と称すると、第１実施形態においては、上述したように、この複数の操作方法（第１〜第３の操作方法）で指示操作を可能としいている。
【００３８】
更に、第１の操作方法（第１のタッチ操作）により第２の操作方法を有効にした後、第１の操作方法（第１のタッチ操作）により第２の操作方法を無効とする方法を第４の操作方法と称し、第１の操作方法（第１のタッチ操作）により第２の操作方法を有効にした後、セルフィーパッド４ｂ上のタッチ操作以外として、上述のＡＰＯ機能によって無操作状態が所定時間が経過した時に自動的に第２の操作方法を無効とする方法を第５の操作方法と称すると、第１実施形態においては、上述したように、手動的又は自動的によって第２の操作方法を無効とすることを可能としている。なお、第５の操作方法は、無操作状態が所定時間が経過したことを検出したことを条件とすればよく、電源オフせずに第２の操作方法を無効とする処理のみを行うようにしてもよい。
【００３９】
以上のように、第１実施形態において制御部１は、タッチ操作部（セルフィーパッド４ｂ）上のタッチ操作の種類が、所定機能の実行を指示するタッチ操作とは異なる所定のタッチ操作であると判別した場合に、セルフィーパッド４ｂ上におけるタッチ操作により実行可能な所定機能を制限する第１の状態（セルフィーパッド制限状態）と、この所定機能の制限を解除する第２の状態（セルフィーパッド制限解除状態）と、を切り替えるようにしたので、所定機能の実行を指示するタッチ操作の有効又は無効を容易に変更することができ、誤操作の起こり易い位置にセルフィーパッド４ｂを配設したとしても、意図しないタッチ操作による誤動作を適切に防止しつつ快適な操作を実現することが可能となる。
【００４０】
制御部１は、セルフィーパッド４ｂ上でタッチ操作が行われた場合に、第１の状態では所定機能の実行を指示するタッチ操作とは異なる他のタッチ操作を第１のタッチ操作として検出し、第２の状態では第１のタッチ操作の他に、その所定機能の実行を指示するタッチ操作を第２のタッチ操作として検出することによってタッチ操作の種類を判別するようにしたので、第１の状態及び第２の状態に応じてタッチ操作を的確に判別することが可能となる。
【００４１】
制御部１は、セルフィーパッド機能テーブル３Ｃを参照し、第２の状態でのセルフィーパッド４ｂ上のタッチ操作により実行可能な所定機能を、複数の機能の中から選択し、この選択した機能を第２の状態で実行するようにしたので、第１の状態から第２の状態に遷移させた後は、使い勝手の良いセルフィーパッド４ｂ上のタッチ操作により各種の機能の中からユーザの所望する機能を選択実行することができ、また、モード別に各種の機能を設定しておけば、同一種類のタッチ操作であってもモード毎に異なる機能を選択実行することができる。
【００４２】
上述の選択可能な複数の機能のうち、その一部の機能はセルフィーパッド４ｂのみで操作が可能であり、その他の機能は他の操作部（操作部４のハードキー４ａ又はタッチ表示部６）でも操作可能としたので、例えば、図４に示すように「他の対応操作子」が“なし”であれば、セルフィーパッド４ｂのみで操作が可能な機能となり、“なし”でなければ、他の操作部でも操作可能な機能となり、誤操作の低減と操作性の向上を兼ね備えることが可能となる。
【００４３】
タッチ表示部６に第１の状態と第２の状態を識別可能とする識別子「ＰＡＤ」マークＭＫ、ズームバーＺＢ、或いは拡大箇所ウインドウＷＤを表示するようにしたので、ユーザは状態の切り替えを容易に確認することができ、誤操作の低減化に効果的なものとなる。
【００４４】
セルフィーパッド４ｂは、タッチ表示部６の表示内容を視認するためにユーザが撮像装置の筐体１１を握ることにより人体に接触可能となるようにその筐体１１の側面に配設したので、ユーザは筐体１１を握るだけでセルフィーパッド４ｂ上をタッチ操作することができ、操作性に優れ、使い勝手の良いものとなる。
【００４５】
撮像装置の筐体１１は、タッチ表示部６を備える表示ブロック１１ａと、この表示ブロックに連結するレンズブロック１１ｃを介して回転可能に取り付けられたフレームブロック１１ｂからなり、このフレームブロック１１ｂの側面にセルフィーパッド４ｂを配設したので、タッチ表示部６とセルフィーパッド４ｂとを別の位置に配設してもセルフィーパッド４ｂを適切に操作することが可能となる。
【００４６】
セルフィーパッド４ｂ上のタッチ操作のうち、通常のタッチ操作（例えば、シングルタップ操作又はスライド操作）である第２のタッチ操作よりも誤操作の可能性の低い第１のタッチ操作（ダブルタップ操作）により指示操作を行う第１の操作方法と、第２のタッチ操作（シングルタップ操作又はスライド操作）により指示操作を行う第２の操作方法と、第１のタッチ操作を行うことにより第２のタッチ操作を有効にした後、その第２のタッチ操作により指示操作を行う第３の操作方法と、の複数の操作方法で指示操作を可能としたので、第２のタッチ操作よりも誤操作を低減することが可能な第１のタッチ操作を行うことを条件（第１の状態から第２の状態への切り替えを条件）として、第３の操作方法で所定機能の実行を指示することが可能となり、第１のタッチ操作が比較的面倒な操作であっても、誤操作の低減を考慮して選択した複数の操作方法で指示操作を行うことができる。
【００４７】
同一の機能に対する指示操作として、上述の第１の操作方法、第２の操作方法、第３の操作方法のうち、その複数の操作方法を選択可能となるように制御するようにしたので、誤操作の低減を考慮した操作方法を選択することができる。
【００４８】
更に、上述の第１の操作方法（第１のタッチ操作）により第２の操作方法を有効にした後、第１の操作方法（第１のタッチ操作）により第２の操作方法を無効とする第４の操作方法と、第１の操作方法（第１のタッチ操作）により第２の操作方法を有効にした後、上述のＡＰＯ機能によって所定時間が経過した時に自動的に第２の操作方法を無効とする第５の操作方法と、を選択的に可能とするように制御するようにしたので、第１の状態と第２の状態との切り替えを手動的又は自動的に行うことができ、誤操作の防止に有効なものとなる。
【００４９】
表示部上に積層されて配置された第１のタッチ操作部（タッチ表示部６を構成するタッチ操作部）と、当該第１のタッチ操作部とは異なる位置に第２のタッチ操作部（セルフィーパッド４ｂ）を備える電子機器において、第１のタッチ操作部上のタッチ操作及び前記第２のタッチ操作部上のタッチ操作を検出し、その検出される各種のタッチ操作のうち、上述の第１の操作方法と、第２の操作方法と、第３の操作方法と、の複数の操作方法で指示操作が可能となるように制御するようにしたので、第１のタッチ操作部と第２のタッチ操作部とを使い分けながら複数の操作方法で指示操作が可能となる。
【００５０】
（第２実施形態）
以下、この発明の第２実施形態について図７及び図８を参照して説明する。
なお、上述した第１実施形態においては、セルフィーパッド４ｂ上で第１のタッチ操作としてダブルタップ操作が行われる毎に、第１の状態と第２の状態とを交互に切り替えるようにしたが、この第２実施形態においては、第１の状態と第２の状態との切り替えを、複数種類の第１のタッチ操作で可能とすると共に、この第１の状態から第２の状態への切り替え時に第１のタッチ操作の種類に応じて、第２の状態で実行される機能を選択するようにしたものである。ここで、両実施形態において基本的或いは名称的に同一のものは、同一符号を付して示し、その説明を省略すると共に、以下、第２実施形態の特徴部分を中心に説明するものとする。
【００５１】
図７は、第２実施形態のセルフィーパッド機能テーブル３Ｃを説明するための図である。
第２実施形態のセルフィーパッド機能テーブル３Ｃは、「モード」、「機能」、「状態移行タッチ操作」、「検出するタッチ操作」、「実行する処理」、「他の対応操作子」の各項目を有している。すなわち、第２実施形態では、第１実施形態の「実行機能」に代わって「状態移行タッチ操作」を設けた構成で、第１実施形態と同様の「モード」、「機能」、「検出するタッチ操作」、「実行する処理」、「他の対応操作子」については、その説明を省略するものとする。
【００５２】
「状態移行タッチ操作」は、第１の状態と第２の状態との切り替えを指示する第１のタッチ操作を示し、複数種類の第１のタッチ操作（状態移行タッチ操作）として、図示の例は“ダブルタップ（Ｗタップ）”の他に、３回連続のタップ操作である“トリプルタップ（３タップ）”、４回連続のタップ操作である“４連続タップ（４タップ）”を記憶した場合を示している。このように「モード」別の各「機能」に対応付けて異なる種類の第１のタッチ操作を「状態移行タッチ操作」に設定しておくことにより、第１の状態から第２の状態への切り替え時に、制御部１は、セルフィーパッド機能テーブル３Ｃを参照し、第１のタッチ操作の種類に対応付けられている「モード」の「機能」を第２の状態で実行される機能として選択する。
【００５３】
すなわち、図示の例において「状態移行タッチ操作」には、“ＲＥＣモード”の各「機能」の“レリーズ”、“ズーム調整”、“画像処理”に対応して種類の異なる第１のタッチ操作として“４連続タップ（４タップ）”、“トリプルタップ（３タップ）”、“ダブルタップ（Ｗタップ）”を記憶し、また、“ＰＬＡＹモード”の各「機能」の“画像送り”、“拡大表示”に対応して種類の異なる第１のタッチ操作として“トリプルタップ（３タップ）”、“ダブルタップ（Ｗタップ）”を記憶しており、制御部１は、第１のタッチ操作が行われると、どの種類のタッチ操作であるかを判別し、その「状態移行タッチ操作」に対応する「モード」別の「機能」を選択する。
【００５４】
図８は、第２実施形態において、撮像装置の動作状態が遷移する様子を説明するための動作模式図である。
先ず、制御部１は、ハードキー４ａの電源キーによる電源オン操作に応じて、電源オン後の初期状態としてＲＥＣモードでライブビュー画像をモニタ画面（タッチ表示部６）に表示させる（ステップＢ１）。第１実施形態同様、この状態においてハードキー４ａのモードキーにより、ＲＥＣモードとＰＬＡＹモードの切り替えが可能となり、ＰＬＡＹモードでは保存画像を読み出して再生画面（タッチ表示部６）に表示させる（ステップＢ２）。この電源オン時には、第１の状態（セルフィーパッド制限状態）となり、セルフィーパッド４ｂ上のタッチ操作が、所定機能の実行を指示する第２のタッチ操作（シングルタップ操作、スライド操作）とは異なる第１のタッチ操作（Ｗタップ、３タップ、４タップ）であれば、その第１のタッチ操作を有効とするが、第２のタッチ操作であれば、そのタッチ操作を無効とする状態となる。
【００５５】
いま、第１の状態においてセルフィーパッド４ｂ上でタッチ操作が行われた場合、そのタッチ操作が第１のタッチ操作であれば、つまり、Ｗタップ操作（ステップＢ３）、３タップ操作（ステップＢ４）、４タップ操作（ステップＢ５）のいずれかであれば、第２の状態（セルフィーパッド制限解除状態）に遷移し（ステップＢ６）、セルフィーパッド４ｂ上のタッチ操作として、第１のタッチ操作の他に第２のタッチ操作（シングルタップ操作、スライド操作）を有効な状態とする。
【００５６】
ここで、制御部１は、第１のタッチ操作の種類に応じて、セルフィーパッド機能テーブル３Ｃを参照し、その「状態移行タッチ操作」に対応付けられている「モード」別の「機能」を選択する。例えば、第１のタッチ操作がＷタップ操作の場合（ステップＢ３）、ＲＥＣモードではその「機能」として“画像処理”を選択してライブビュー画像をモニタ画面に表示させ、また、ＰＬＡＹモードではその「機能」として“拡大表示”を選択して撮影済み画像を再生画面に表示させる（ステップＢ７）。
【００５７】
また、第１のタッチ操作が３タップ操作の場合（ステップＢ４）、ＲＥＣモードではその「機能」として“ズーム調整”を選択してライブビュー画像をモニタ画面に表示させ、また、ＰＬＡＹモードではその「機能」として“画像送り”を選択して撮影済み画像を再生画面に表示させる（ステップＢ８）。また、第１のタッチ操作が４タップ操作の場合（ステップＢ５）、ＲＥＣモードではその「機能」として“レリーズ”を選択してライブビュー画像をモニタ画面に表示させるが、ＰＬＡＹモードでの４タップ操作は無効となる（ステップＢ９）。
【００５８】
第２の状態（セルフィーパッド制限解除状態）において第２のタッチ操作としてシングルタップ操作又はスライド操作が行われると（ステップＢ１０、Ｂ１１、Ｂ１２）、上述した第１実施形態と同様に、セルフィーパッド機能テーブル３Ｃを参照し、「モード」別に選択された「機能」のうち、その第２のタッチ操作の種類に対応する「実行する処理」で示される処理の実行に移る（ステップＢ１３、Ｂ１４、Ｂ１５）。例えば、ＲＥＣモードで選択機能が“ズーム調整”の場合に、第２のタッチ操作が“上方向スライド操作”であれば“望遠方向へのズーム調整”の処理を実行し、“下方向スライド操作”であれば“広角方向へのズーム調整”の処理を実行する。
【００５９】
他方、第２の状態において第１のタッチ操作（Ｗタップ操作、３タップ操作、４タップ操作）が行われると（ステップＢ１６、Ｂ１７、Ｂ１８）、第１の状態から第２の状態への切り替え時の第１のタッチ操作（ステップＢ３、Ｂ４、Ｂ５でのタッチ操作）と比較し、同じ種類の第１のタッチ操作であるかを判別する。ここで、同じ種類の第１のタッチ操作であれば、第２の状態から第１の状態に遷移して上述したステップＢ２の元の画面に復帰するが、異なる種類の第１のタッチ操作であれば、第２の状態を維持したまま「機能」の切り替えを行う。
【００６０】
例えば、第１の状態から第２の状態への切り替え指示の第１のタッチ操作がＷタップ操作の場合において、第２の状態での第１のタッチ操作が同じ種類の操作であるＷタップ操作であれば、第１の状態へ遷移するが（ステップＢ２）、異なる種類である３タップ操作であれば、ステップＢ８に移行し、ＲＥＣモードでは“ズーム調整”の機能に切り替わり、ＰＬＡＹモードでは“画像送り”の機能に切り替わる。同様に、異なる種類である４タップ操作であれば、ステップＢ９に移行し、ＲＥＣモードでは“レリーズ”の機能に切り替わり、ＰＬＡＹモードでは無効となる。
【００６１】
以下、同様に、第１の状態から第２の状態への切り替え指示の第１のタッチ操作が３タップ操作又は４タップ操作の場合において、第２の状態での第１のタッチ操作が同じ種類の操作であれば、第１の状態へ遷移するが（ステップＢ２）、異なる種類の操作であれば、第２の状態を維持したまま操作された第１のタッチ操作の種類に応じた「機能」に切り替える。一方、第２の状態において、ハードキー４ａによる電源オフ操作又はＡＰＯ（オートパワーオフ）機能による電源オフに応じて（ステップＢ１９）、第１の状態に遷移して電源オフ状態となる（ステップＢ２０）。
【００６２】
以上のように、第２実施形態においては、第１のタッチ操作の種類毎に、第２の状態で第２のタッチ操作に応じて実行される機能がセルフィーパッド機能テーブル３Ｃの「機能」、「状態移行タッチ操作」に対応付けて設定されている状態において、いずれかの種類の第１のタッチ操作により第２の状態に切り替えられている場合に、第２のタッチ操作が行われると、その第２のタッチ操作に対応する機能を実行するようにしたので、第１の状態と第２の状態との切り替えを、複数種類の第１のタッチ操作のいずれでも行うことができると共に、この第１の状態から第２の状態への切り替え時に、この第１のタッチ操作の種類に応じて、第２の状態で実行される機能を併せて選択することができる。したがって、ユーザにあっては、第１のタッチ操作の種類を変えるだけで、所望する機能を選択することができる。
【００６３】
第２の状態において第１のタッチ操作が行われると、第１の状態から第２の状態への切り替え時の第１のタッチ操作と比較し、同じ種類の第１のタッチ操作であれば、第１の状態に切り替え、異なる種類の第１のタッチ操作であれば、第２の状態を維持したまま機能を切り替えるようにしたので、第２の状態から第１の状態に切り替える際に、第１の状態から第２の状態への切り替え時と異なる種類の第１のタッチ操作を行うだけで第２の状態を維持したまま機能を切り替えることができ、更に使い勝手が向上する。
【００６４】
（第３実施形態）
以下、この発明の第３実施形態について図９及び図１０を参照して説明する。
なお、上述した第２実施形態においては、複数種類の第１のタッチ操作として、Ｗタップ操作、３タップ操作、４タップ操作を例示したが、この第３実施形態においては、セルフィーパッド４ｂ上のダブルタップの操作位置を複数種類の第１のタッチ操作としたものである。ここで、第３実施形態において第１及び第２実施形態と基本的或いは名称的に同一のものは、同一符号を付して示し、その説明を省略すると共に、以下、第３実施形態の特徴部分を中心に説明するものとする。
【００６５】
図９は、第３実施形態のセルフィーパッド機能テーブル３Ｃを説明するための図である。
第３実施形態のセルフィーパッド機能テーブル３Ｃは、「モード」、「機能」、「状態移行タッチ位置」、「検出するタッチ操作」、「実行する処理」、「他の対応操作子」の各項目を有し、「状態移行タッチ位置」以外は、第２実施形態と同様であるため、その説明を省略するものとする。「状態移行タッチ位置」は、複数種類の第１のタッチ操作として、セルフィーパッド４ｂ上のダブルタップの操作位置を示している。セルフィーパッド４ｂは、上述したように１５枚の小片状のタッチパネルＴを縦一列に配列した構成で、各タッチパネルＴには接点番号「１」〜「１５」が対応付けられており、ユーザが筐体１１を手で握りながら指（例えば、人差し指や中指）でセルフィーパッド４ｂ上をタッチ操作すると、制御部１は、そのタッチ位置に応じた操作検出信号に基づいて接点番号を検出する。
【００６６】
図示の例において「状態移行タッチ位置」には、“ＲＥＣモード”の各「機能」の“レリーズ”、“ズーム調整”、“画像処理”に対応して種類（操作位置）の異なる第１のタッチ操作として“接点１〜５（Ｗタップ１）”、“接点６〜１０（Ｗタップ２）”、“接点１１〜１５（Ｗタップ３）”を記憶し、また、“ＰＬＡＹモード”の各「機能」の“画像送り”、“拡大表示”に対応して種類（操作位置）の異なる第１のタッチ操作として“接点１〜５（Ｗタップ１）”、“接点６〜１０（Ｗタップ２）”を記憶しており、制御部１は、第１のタッチ操作が行われると、どのような種類（操作位置）のタッチ操作であるかを判別し、その「状態移行タッチ位置」に対応する「モード」別の「機能」を選択する。
【００６７】
図１０は、第３実施形態において、撮像装置の動作状態が遷移する様子を説明するための動作模式図である。
なお、第３実施形態の動作は、第２実施形態と基本的に同様であるため、以下、その特徴部分のみを説明するものとする。図１０のステップＣ１〜Ｃ１７は、図８のステップＢ１〜Ｂ１７に対応する処理であり、第１のタッチ操作の種類が相違するだけで、基本的には同様であるため、その説明は省略するものとする。
【００６８】
図１０は、図８中の“Ｗタップ操作”を“接点１〜５（Ｗタップ１）”、“３タップ操作”を“接点６〜１０（Ｗタップ２）”、“４タップ操作”を“接点１１〜１５（Ｗタップ３）”に変更した場合で、いずれかの種類（操作位置）の第１のタッチ操作により第２の状態に切り替えられている場合に、第２のタッチ操作が行われると、制御部１は、その第２のタッチ操作に対応する機能を選択してその機能の実行に移る。
【００６９】
以上のように、第３実施形態においては、第１のタッチ操作の種類（操作位置）毎に、第２の状態で第２のタッチ操作に応じて実行される機能がセルフィーパッド機能テーブル３Ｃの「機能」、「状態移行タッチ位置」に対応して設定されている状態において、いずれかの種類（操作位置）の第１のタッチ操作により第２の状態に切り替えられている場合に、第２のタッチ操作が行われると、その第２のタッチ操作に対応する機能を実行するようにしたので、第１の状態から第２の状態への切り替え時に第１のタッチ操作の種類（操作位置）に応じて、第２の状態で実行される機能を選択することができる。したがって、ユーザにあっては、例えば、ユーザは同じＷタップ操作であっても、セルフィーパッド４ｂ上のどの位置をＷタップするかに応じて、所望する機能を選択することができる。
【００７０】
第２の状態において第１のタッチ操作が行われると、第１の状態から第２の状態への切り替え時の第１のタッチ操作と比較し、同じ種類（操作位置）の第１のタッチ操作であれば、第１の状態に切り替え、異なる種類（操作位置）の第１のタッチ操作であれば、第２の状態を維持したまま機能を切り替えるようにしたので、第２の状態から第１の状態への切り替え時に、第１の状態から第２の状態への切り替え時と異なる種類（操作位置）の第１のタッチ操作を行うだけで第２の状態を維持したまま機能を切り替えることができ、使い勝手が向上する。
【００７１】
なお、上述した各実施形態においては、第１のタッチ操作としては、“Ｗタップ”、“３タップ”、“４タップ”、“接点１〜５（Ｗタップ１）”、“接点６〜１０（Ｗタップ２）”、“接点１１〜１５（Ｗタップ３）”を例示したが、５連続タップ（５タップ）などを含めるようにしてもよい。また、例えば、３タップ中の各タップを等間隔とせず、タップ間隔を変化させた操作であってもよい。つまり、誤操作の可能性が高いシングルタップ以外のタッチ操作であればよく、また、第１のタッチ操作を任意に設定可能としてもよい。
【００７２】
また、セルフィーパッド４ｂ上のタッチ操作を検出するサンプリング周期が第１の状態と第２の状態でそれぞれ異なるように制御するようにしてもよい。例えば、第１のタッチ操作のみを有効とする第１の状態時のサンプリング周期を、第１及び第２のタッチ操作を有効とする第２の状態時のサンプリング周期よりも遅くすることにより低電力化を図るようにしてもよい。
【００７３】
上述した各実施形態においては、セルフィーパッド４ｂを筐体１１の一側部に配設したが、ユーザが通常の操作時に視覚的に捕らえることが困難な位置として、例えば、筐体１１の背面部などに配設するようにしてもよい。
【００７４】
上述した各実施形態においては、電子機器として撮像装置（デジタルカメラ）に適用した場合を例示したが、パーソナルコンピュータ、ＰＤＡ（個人向け携帯型情報通信機器）、タブレット端末、スマートフォンなどの携帯電話機、電子ゲーム、音楽プレイヤーなどに適用してもよい。
【００７５】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００７６】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
表示部と異なる位置にタッチ操作部を備える電子機器であって、
前記タッチ操作部上におけるタッチ操作の種類を判別する判別手段と、
前記タッチ操作部上のタッチ操作により実行可能な所定機能を制限する第１の状態と、前記所定機能の制限を解除する第２の状態と、を切り替える状態切替手段と、
前記判別手段によりタッチ操作の種類が、前記所定機能の実行を指示するタッチ操作とは異なる所定のタッチ操作であると判別された場合に、前記第１の状態と前記第２の状態を切り替えるように前記状態切替手段を制御する制御手段と、
を備えることを特徴とする。
（請求項２）
請求項２に記載の発明は、請求項１に記載の電子機器において、
前記所定機能の実行を指示するタッチ操作とは異なるタッチ操作を第１のタッチ操作として検出する第１の検出手段と、
前記所定機能の実行を指示するタッチ操作を第２のタッチ操作として検出する第２の検出手段と、
を更に備え、
前記判別手段は、前記第１の状態で前記第１の検出手段による検出を行い、前記第２の状態で前記第１の検出手段による検出及び第２の検出手段による検出を行うことによってタッチ操作の種類を判別する、
ことを特徴とする。
（請求項３）
請求項３に記載の発明は、請求項１又は２に記載の電子機器において、
前記第２の状態でのタッチ操作により実行可能な所定機能を、複数の機能の中から選択する選択手段と、
前記状態切替手段により第２の状態に切り替えられている状態において、前記選択手段により選択されている機能を実行する実行手段と、
を更に備える、
ことを特徴とする。
（請求項４）
請求項４に記載の発明は、請求項２に記載の電子機器において、
前記第１のタッチ操作は、種類の異なる複数の第１のタッチ操作を含み、
前記第１のタッチ操作の種類毎に前記第２の状態で第２のタッチ操作に応じて実行される機能を設定する設定手段を、更に備え、
前記実行手段は、前記複数種類の第１のタッチ操作のうち、そのいずれかの種類の第１のタッチ操作によって前記状態切替手段が第２の状態に切り替えている状態において、この第２の状態でのタッチ操作が第２のタッチ操作であれば、前記設定手段により設定されている第２のタッチ操作に対応する機能を実行する、
ことを特徴とする。
（請求項５）
請求項５に記載の発明は、請求項４に記載の電子機器において、
前記タッチ操作部は、当該タッチ操作部上におけるタッチ操作の位置の違いを検出し、
前記第１のタッチ操作が、種類が異なる複数のタッチ操作のいずれかの場合に、その種類は、前記タッチ操作部上におけるタッチ操作の位置の違いである、
ことを特徴とする。
（請求項６）
請求項６に記載の発明は、請求項４又は５に記載の電子機器において、
前記制御手段は、前記状態切替手段により第２の状態に切り替えられている状態において、前記第１のタッチ操作が行われると、前記第１の状態から第２の状態への切り替え時の第１のタッチ操作と比較し、同じ種類の第１のタッチ操作であれば、前記第１の状態に切り替え、異なる種類の第１のタッチ操作であれば、前記第２の状態を維持したまま機能の切り替えを制御する、
ことを特徴とする。
（請求項７）
請求項７に記載の発明は、請求項３に記載の電子機器において、
前記選択手段により選択可能な複数の機能のうち、その一部の機能は前記タッチ操作部のみで操作が可能であり、その他の機能は他の操作部でも操作可能である、
ことを特徴とする。
（請求項８）
請求項８に記載の発明は、請求項１乃至７のいずれか一項に記載の電子機器において、
前記表示部に前記第１の状態と前記第２の状態を識別可能とする識別子を表示する制御を行う表示制御部を、更に備える、
ことを特徴とする。
（請求項９）
請求項９に記載の発明は、請求項１乃至８のいずれか一項に記載の電子機器において、
前記タッチ操作部は、当該タッチ操作部上でのタッチ操作を検出するサンプリング周期が前記第１の状態と第２の状態とではそれぞれ異なるように制御する、
ことを特徴とする。
（請求項１０）
請求項１０に記載の発明は、請求項１乃至９のいずれか一項に記載の電子機器において、
当該電子機器は、携帯型電子機器であり、
前記タッチ操作部は、前記表示部を見るユーザが当該携帯型電子機器の筐体を握ることで人体に接触可能となるように当該筐体の側面に配設されている、
ことを特徴とする。
（請求項１１）
請求項１１に記載の発明は、請求項９に記載の電子機器において、
前記携帯型電子機器の筐体は、前記表示部を備える本体ブロックと、前記本体ブロックの一端に回転可能に取り付けられたフレームブロックからなり、
前記タッチ操作部は、前記フレームブロックの側面に配設されている、
ことを特徴とする。
（請求項１２）
請求項１２に記載の発明は、
タッチ操作部を備える電子機器であって、
前記タッチ操作部上のタッチ操作を検出する検出手段と、
前記検出手段により検出される各種のタッチ操作のうち、通常のタッチ操作である第２のタッチ操作よりも誤操作の可能性が低い第１のタッチ操作により指示操作を行う第１の操作方法と、前記第２のタッチ操作により指示操作を行う第２の操作方法と、前記第１のタッチ操作を行うことにより前記第２のタッチ操作を有効にした後に前記第２のタッチ操作により指示操作を行う第３の操作方法と、の複数の操作方法で指示操作が可能となるように前記検出手段を制御する制御手段と、
を備えることを特徴とする。
（請求項１３）
請求項１３に記載の発明は、請求項１２に記載の電子機器において、
前記制御手段は、同一の機能に対する指示操作として前記第１の操作方法、前記第２の操作方法、前記第３の操作方法のうち、その複数の操作方法を選択可能となるように前記検出手段を制御する、
ことを特徴とする。
（請求項１４）
請求項１４に記載の発明は、請求項１３に記載の電子機器において、
前記タッチ操作部は、前記表示部と異なる位置に設けられている、
ことを特徴とする。
（請求項１５）
請求項１５に記載の発明は、請求項１２乃至１４のいずれか一項に記載の電子機器において、
前記制御手段は、更に、前記第１の操作方法により前記第２の操作方法を有効にした後に、再び第１の操作方法により前記第２の操作方法を無効とする第４の操作方法と、前記第１の操作方法により前記第２の操作方法を有効にした後、所定時間が経過した時に自動的に第２の操作方法を無効とする第５の操作方法と、を選択的に可能とするように前記検出手段を制御する、
ことを特徴とする。
（請求項１６）
請求項１６に記載の発明は、請求項１２乃至１５のいずれか一項に記載の電子機器において、
当該電子機器は、携帯型電子機器であり、
前記タッチ操作部は、ユーザが当該携帯型電子機器の筐体を片手で握った状態で、前記表示部を見ながら、当該筐体を握っている手で操作可能な位置に配設されている、
ことを特徴とする。
（請求項１７）
請求項１７に記載の発明は、請求項１６に記載の電子機器において、
前記携帯型電子機器の筐体は、前記表示部を備える本体ブロックと、前記本体ブロックの一端に回転可能に取り付けられたフレームブロックからなり、
前記タッチ操作部は、前記フレームブロックの側面に配設されている、
ことを特徴とする。
（請求項１８）
請求項１８に記載の発明は、請求項１２乃至１７のいずれか一項に記載の電子機器において、
前記第２の状態でのタッチ操作により実行可能な所定機能を、複数の機能の中から選択する選択手段を更に備え、
前記選択手段により選択可能な複数の機能のうち、その一部の機能は前記タッチ操作部のみで操作が可能であり、その他の機能は他の操作部でも操作可能である、
ことを特徴とする。
（請求項１９）
請求項１９に記載の発明は、
表示部上に積層されて配置された第１のタッチ操作部と、当該第１のタッチ操作部とは異なる位置に第２のタッチ操作部を備える電子機器であって、
前記第１のタッチ操作部上のタッチ操作及び前記第２のタッチ操作部上のタッチ操作を検出する検出手段と、
前記検出手段により検出される各種のタッチ操作のうち、通常のタッチ操作である第２のタッチ操作よりも誤操作の可能性が低い第１のタッチ操作により前記第２のタッチ操作部上で指示操作を行う第１の操作方法と、前記第２のタッチ操作により前記第１のタッチ操作部上及び前記第２のタッチ操作部上で指示操作を行う第２の操作方法と、前記第１のタッチ操作を前記第２のタッチ操作部上で行うことにより前記第２のタッチ操作部上での前記第２のタッチ操作を有効にした後に、前記第２のタッチ操作部上で前記第２のタッチ操作により指示操作を行う第３の操作方法と、の複数の操作方法で指示操作が可能となるように前記検出手段を制御する制御手段と、
を備えることを特徴とする。
（請求項２０）
請求項２０に記載の発明は、
表示部と異なる位置にタッチ操作部を備える電子機器におけるタッチ操作制御方法であって、
前記タッチ操作部上におけるタッチ操作の種類を判別する処理と、
前記タッチ操作部上のタッチ操作により実行可能な所定機能を制限する第１の状態と、前記所定機能の制限を解除する第２の状態と、を切り替える処理と、
前記タッチ操作の種類が、前記所定機能の実行を指示するタッチ操作とは異なる所定のタッチ操作であると判別された場合に、前記第１の状態と前記第２の状態を切り替えるように制御する処理と、
を含むことを特徴とする。
（請求項２１）
請求項２１に記載の発明は、
表示部と異なる位置にタッチ操作部を備える電子機器のコンピュータに対して、
前記タッチ操作部上におけるタッチ操作の種類を判別する機能と、
前記タッチ操作部上のタッチ操作により実行可能な所定機能を制限する第１の状態と、前記所定機能の制限を解除する第２の状態と、を切り替える機能と、
前記タッチ操作の種類が、前記所定機能の実行を指示するタッチ操作とは異なる所定のタッチ操作であると判別された場合に、前記第１の状態と前記第２の状態を切り替えるように制御する機能と、
を実現させるためのプログラムである。
（請求項２２）
請求項２２に記載の発明は、
表示部と異なる位置にタッチ操作部を備える電子機器におけるタッチ操作制御方法であって、
前記タッチ操作部上のタッチ操作を検出する処理と、
前記検出される各種のタッチ操作のうち、通常のタッチ操作である第２のタッチ操作よりも誤操作の可能性が低い第１のタッチ操作により指示操作を行う第１の操作方法と、前記第２のタッチ操作により指示操作を行う第２の操作方法と、前記第１のタッチ操作を行うことにより前記第２のタッチ操作を有効にした後に前記第２のタッチ操作により指示操作を行う第３の操作方法と、の複数の操作方法で指示操作が可能となるように制御する処理と、
を含むことを特徴とする。
（請求項２３）
請求項２３に記載の発明は、
表示部と異なる位置にタッチ操作部を備える電子機器のコンピュータに対して、
前記タッチ操作部上のタッチ操作を検出する機能と、
前記検出される各種のタッチ操作のうち、通常のタッチ操作である第２のタッチ操作よりも誤操作の可能性が低い第１のタッチ操作により指示操作を行う第１の操作方法と、前記第２のタッチ操作により指示操作を行う第２の操作方法と、前記第１のタッチ操作を行うことにより前記第２のタッチ操作を有効にした後に前記第２のタッチ操作により指示操作を行う第３の操作方法と、の複数の操作方法で指示操作が可能となるように制御する機能と、
を実現させるためのプログラムである。
【符号の説明】
【００７７】
１  制御部
２  電源部
３  記憶部
３Ａ  プログラムメモリ
３Ｃ  セルフィーパッド機能テーブル
４  操作部
４ａ  ハードキー
４ｂ  セルフィーパッド
５  撮像部
６  タッチ表示部
１１  筐体
１１ａ  表示ブロック
１１ｂ  フレームブロック
１１ｃ  レンズブロック
ＭＫ  「ＰＡＤ」マーク
Ｔ  タッチパネル
【図１】
0006497549.tif 000002
【図２】
0006497549.tif 000003
【図３】
0006497549.tif 000004
【図４】
0006497549.tif 000005
【図５】
0006497549.tif 000006
【図６】
0006497549.tif 000007
【図７】
0006497549.tif 000008
【図８】
0006497549.tif 000009
【図９】
0006497549.tif 000010
【図１０】
0006497549.tif 000011